(57)【要約】      （修正有）【課題】液だれや転倒時の内容物流出を回避し、簡単に新しい容器に付替えできるレフィルタイプの吐出容器を提案する。【解決手段】容器本体の口頚部１ａに吊り下げ保持された吐出器２を有し、押圧ヘッド３を繰り返し押し込むことによって容器本体１内の内容物を吸引、加圧、圧縮してノズル部ｎを通して内容物を噴出させる吐出容器において、前記押圧ヘッド３は、前記吐出器２の中空ステム２ｂに着脱自在に嵌合するとともに、該中空ステム２ｂの内部通路を通して送給された内容物をノズル部ｎから噴出させるヘッド本体３ａと、このヘッド本体３ａをスライド可能に支持し容器本体の口頚部にねじ止めされるオーバーキャップ３ｂからなる。前記吐出器２は、シリンダー２ａの外側壁部に、前記容器本体１の口頚部１ａに着脱自在に嵌合してその吊り下げ姿勢を保持するとともに、該容器本体１の口頚部１ａを密閉状態に維持する嵌合部４を設ける。【選択図】図２
2014080239.tif 000002
【特許請求の範囲】
【請求項１】
内容物を収容する容器本体の口頚部に吊り下げ保持された吐出器を有し、該吐出器につながる押圧ヘッドを繰り返し押し込むことによって該吐出器を作動させて容器本体内の内容物を吸引、加圧、圧縮して該押圧ヘッドのノズル部を通して内容物を噴出させる吐出容器であって、
前記押圧ヘッドは、前記吐出器の中空ステムに着脱自在に嵌合するとともに、該中空ステムの内部通路を通して送給された内容物をノズル部から噴出させるヘッド本体と、このヘッド本体をスライド可能に支持し容器本体の口頚部にねじ止めされるベースキャップからなり、
前記吐出器は、シリンダーの外側壁部に、前記容器本体の口頚部に着脱自在に嵌合してその吊り下げ姿勢を保持するとともに、該容器本体の口頚部を密閉状態に維持する嵌合部を有することを特徴とするレフィルタイプの吐出容器。
【請求項２】
前記嵌合部は、前記吐出器のシリンダー外側壁部に一体連結する天板と、この天板の縁部に垂下保持され、前記口頚部の少なくとも先端部分の周りを取り囲んでその内側に前記口頚部との嵌合空間を形成する周壁からなり、該周壁と前記口頚部との間に、少なくとも１つの隙間部を設けたことを特徴とする請求項１に記載したレフィルタイプの吐出容器。
【請求項３】
前記容器本体は、該容器本体の外観形状を形造る外層体と、この外層体の内壁面に剥離可能に密着保持され、内容物の収容量が減るに従い該外層体から随時剥離してそれ自体が縮減する内層体からなることを特徴とする請求項１または２に記載したレフィルタイプの吐出容器。
【請求項４】
前記ヘッド本体は、その内部においてスライド可能に弾性支持され、前記押圧ヘッドの押し込みに伴うスライドにて前記ノズル部の噴出口を開放して内容物を外界へ噴出させるシャットオフピンを備えたものである、ことを特徴とする請求項１〜３のいずれか１に記載したレフィルタイプの吐出容器。
【請求項５】
前記吐出器がポンプである請求項１〜４のいずれか１に記載したレフィルタイプの吐出容器。
【発明の詳細な説明】
【技術分野】
【０００１】
本発明は、押圧ヘッドを繰り返し押し込むことによってポンプの如き吐出器を作動させて容器本体内に収容した内容物を連続的に噴出させることが可能であり、かつ、内容物を使い切ったのちにおいては、容器本体を、吐出器とともに付け替えることによって押圧ヘッドをそのまま使用することができるレフィルタイプの吐出容器に関するものである。
【背景技術】
【０００２】
容器本体の口頚部に吐出器としてのポンプを吊り下げ保持し、該ポンプにつながる押圧ヘッドを繰り返し押圧して容器本体内の内容物を吸引、加圧、圧縮して噴出させる吐出容器は、化粧料や芳香剤、除菌剤、消毒剤等あらゆるものの容器として幅広く利用されている。
【０００３】
この種の容器は、内容物を使い切ったのちは、内容物を詰替えて容器を再利用するのが普通であり、内容物の詰め替えに際しては、吐出器を押圧ヘッドとともに取り外し、容器本体の口頚部を通して内容物を流し入れる煩わしい作業が必要になっていた。
【０００４】
このため、近年に至っては、詰め替え用の内容物が収容された容器そのものを付け替える商品も提案されている。しかしながら、従来の付け替え容器は、例えば、特許文献１にみられるように、押圧ヘッドと吐出器は一体化されており、容器本体の口頚部にカバー（キャップ）をねじ込むことによって吐出器を容器本体に固定する仕組みになっているため、新しい容器に付け替えるに際しては、古い容器から吐出器を一旦取り外す必要があるところ、この場合、吐出器の外周壁や吸引パイプに付着した内容物が垂れてその周囲を汚すのが避けられず、しかも、開封状態にした新しい容器についてはそれを誤って転倒させてしまい内容物が流れ出てしまったり、吐出器の複数回にわたる使用によって雑菌を繁殖させてしまうことも懸念される。さらに、空気との接触が不可避であるため、内容物によっては品質の安定的な保持が難しいことも想定される。
【先行技術文献】
【特許文献】
【０００５】
【特許文献１】特開２００４−１０６９３９号公報
【発明の概要】
【発明が解決しようとする課題】
【０００６】
本発明の課題は、吐出器を作動させる押圧ヘッドを吐出器から取り外し、容器本体を、吐出器とともにそっくりそのまま付け替えることによって上記従来の不具合を解消できるレフィルタイプの吐出容器を提案するところにある。
【課題を解決するための手段】
【０００７】
本発明は、容物を収容する容器本体の口頚部に吊り下げ保持された吐出器を有し、該吐出器につながる押圧ヘッドを繰り返し押し込むことによって該吐出器を作動させて容器本体内の内容物を吸引、加圧、圧縮して該押圧ヘッドのノズル部を通して内容物を噴出させる吐出容器であって、前記押圧ヘッドは、前記吐出器の中空ステムに着脱自在に嵌合するとともに、該中空ステムを通して送給された内容物をノズル部を通して噴出させるヘッド本体と、このヘッド本体をスライド可能に支持し容器本体の口頚部にねじ止めされるオーバーキャップからなり、前記吐出器は、シリンダーの外側壁部に、前記容器本体の口頚部に着脱自在に嵌合してその吊り下げ姿勢を保持するとともに、該容器本体の口頚部を密閉状態に維持する嵌合部を有することを特徴とするレフィルタイプの吐出容器である。
【０００８】
上記の構成からなる吐出容器においては、ベースカバーを、ポンプのシリンダー外周壁に連結する天板と、この天板の縁部に垂下保持され、前記口頚部の少なくとも先端部分の周りを取り囲んでその内側に前記口頚部との嵌合空間を形成する周壁とにて構成するのが好ましく、該周壁と口頚部との間には、少なくとも１つの隙間部を設けることができる。
【０００９】
また、本発明に従う吐出容器においては、容器本体として、該容器本体の外観形状を形造る外層体と、この外層体の内壁面に剥離可能に密着保持され、内容物の収容量が減るに従い該外層体から随時剥離してそれ自体が縮減する内層体からなるデラミネーションタイプの容器(以下、デラミ容器と記す)を適用するのが好ましい。
【００１０】
また、本発明に従う吐出容器においては、ヘッド本体は、その内部においてスライド可能に弾性支持され、前記押圧ヘッドの押し込みに伴うスライドにて前記ノズル部の噴出口を開放して内容物を外界へ噴出させるシャットオフピン（押圧ヘッドの押し込み前は、シャットオフピンの先端部はノズル部の噴出口に押し付けられており、該噴出口は閉塞状態に保持されている）を備えたものを適用することができる。
【００１１】
さらに、本発明に従う吐出容器においては、吐出器として押圧ヘッドを複数回にわたって押し込むことによって駆動するポンプを適用することができる。
【発明の効果】
【００１２】
上記の構成からなる本発明のレフィルタイプの吐出容器によれば、ベースカバーを容器本体の口頚部から取り外した場合に、押圧ヘッドと、吐出器とが切り離されるが、吐出器と容器本体はそのままの状態に維持されることとなり、内容物が充填された新しい容器への付け替えが可能となる。これにより、吐出器を容器本体から取り出す必要がなくなり、液だれを起こしたり容器の転倒によって内容物が流れ出すこともない。
【００１３】
また、本発明の吐出容器によれば、ベースカバーを構成する周壁（下端面）と口頚部（上端面）との間に少なくとも１つの隙間部（隙間部は全周にわたるものであってもよいし間欠的に設けれたものであってもよい。）を設けたため、コインの如き部材を使用して抉じ開けることが可能となり、使い終わった容器を分別廃棄する必要がある場合や残存する内容物を取り出す場合等において容器本体からの吐出器の取り外しを容易に行い得る。
【００１４】
また、容器本体を、該容器本体の外観形状を形作る外層体と、この外層体の内壁面に剥離可能に密着保持され、内容物の収容量が減るに従い該外層体から随時剥離してそれ自体が縮減する内層体とで構成されたデラミ容器とすることにより、内層体に収納された内容物が外気に触れることがないため内容物の品質を安定的に維持できる。また、内容物の残量を極力減らすことが可能となる。
【００１５】
さらに、ヘッド本体を、その内部においてスライド可能に弾性支持され、押圧ヘッドの押し込みに伴うスライドにてノズル部の噴出口を開放して内容物を外界へ噴出させるシャットオフピンを備えたもので構成することにより、ノズル部の噴出口からの外気や水分、埃等の侵入を防止することができるため衛生的であり、しかも液切れがよくなる。
【図面の簡単な説明】
【００１６】
【図１】本発明に従うレフィルタイプの吐出容器の実施の形態を一部断面にして表示した図である。
【図２】図１に示した吐出容器において、押圧ヘッドを吐出器から取り外した状態を示した図である。
【図３】（ａ）（ｂ）は、嵌合部の他の例を示した図である。
【図４】本発明に従う吐出容器の他の実施の形態を示した図である。
【図５】本発明に従う吐出容器のさらに他の実施の形態を、押圧ヘッドについて示した図である。
【図６】図５に示した吐出容器の使用状況を示した図である。
【発明を実施するための形態】
【００１７】
以下、図面を用いて本発明をより具体的に説明する。
図１は、本発明に従うレフィルタイプの吐出容器の実施の形態を一部断面にして表示した図であり、図２は、ヘッド本体をベースキャップ側に残したままで押圧ヘッドを吐出器の中空ステムから取り外した状態（新しい容器に付け替え可能な状態）を示した図である。
【００１８】
図における符号１は、内容物を収容する収容空間Ｍを備えた容器本体である。この容器本体１は、その頂部に収容空間Ｍに連通する通路が形成された口頚部１ａを有しており、その下端に形成される肩部１ｂ、この肩部１ｂにつながる胴部１ｃ、この胴部１ｃにつながる底部１ｄによって形成された底有円筒状のものを例として示してある。
【００１９】
また、２は、容器本体１の口頚部１ａの内側に吊り下げ保持された吐出器である（断面については図示せず）。吐出器２としてポンプを適用する場合、該吐出器２は、内容物の吸引、加圧空間を形成するシリンダー２ａと、このシリンダー２ａの内側に配置され、その内壁面に沿ってスライド可能なピストン（図示せず）と、一端（下端）が該ピストンに連係し、他端（上端）がシリンダー２ａの上部において露出する中空ステム２ｂと、この中空ステム２ｂをシリンダー２ａ内で上向きの付勢力でもって弾性支持するスプリング（図示せず）と、シリンダー２ａ内に配置され、内容物の吸引時にのみ吸引孔を開放する逆止弁（図示せず）とを備えたものにて構成される。
【００２０】
中空ステム２ｂはシリンダー２ａ内にて加圧、圧縮された内容物を通す送給経路が形成されていて、該中空ステム２ｂに後述する押圧ヘッドを介して押圧力を付与しそれを上下動させると、これに合わせてピストンがシリンダー２ａ内でスライド（昇降移動）することとなり、これにより容器内の内容物は、吸引管Ｓを通してシリンダー２ａ内に吸引されるとともに、吸引された内容物はシリンダー２ａ内での加圧、圧縮される。
【００２１】
なお、この実施の形態では、吐出器２としてプライミングタイプのポンプを適用しているが、吐出器２としては、スプレータイプの吐出器等、あらゆるタイプの吐出器が適用可能であり、図示した如き構造のポンプに限定されることはない。
【００２２】
また、３は、吐出器２の中空ステム２ｂに押圧力を付与する押圧ヘッドである。この押圧ヘッド３は、吐出器２の中空ステム２ｂの他端、すなわち、シリンダー２ａの上部において露出させた部位に着脱自在に嵌合する開口部３ａを有し、中空ステム２ｂの内部通路を通して送給された内容物をノズル部ｎから噴出させるヘッド本体３ｂと、このヘッド本体３ｂをスライド可能に支持し容器本体１の口頚部１ａにねじ止めされるベースキャップ３ｃからなる。
【００２３】
ベースキャップ３ｃは、吐出器２の中空ステム２ｂを通過せる貫通孔を有するベース３ｃ１と、このベース３ｃ１の縁部に同心二重配置にして垂下する内筒３ｃ２、外筒３ｃ３と、ベース３ｃ１の上面でそれに形成された該貫通孔を取り囲んで起立するとともにヘッド本体３ｂをスライド可能に抜け止め保持する筒体３ｃ４から構成されている。
【００２４】
４は、吐出器２のシリンダー２ａの上部でその外側壁部に一体的に設けられた打栓式の嵌合部（嵌合キャップ）ある。この嵌合部４は、容器本体１の口頚部１ａに着脱自在に嵌合（アンダーカットによる嵌合）して吐出器２の吊り下げ姿勢を保持し、かつ、該口頚部１ａを密閉状態（閉塞状態）に維持するものであって、シリンダー２ａの外側壁部に直接連結する天板４ａと、この天板４ａの縁部に垂下保持され、口頚部１ａの少なくとも先端部分（上端部分）の周りを取り囲んでその内側に該口頚部１ａとの嵌合空間を形成する周壁４ｂから構成されている。
【００２５】
嵌合部４は、容器本体１の口頚部１ａにアンダーカットにより着脱自在に嵌合させるものを適用する場合について説明したが、ねじによって係合させるものを適用することもできる。
【００２６】
また、５は、嵌合部４の周壁４ｂに設けられた切欠き部である。この切欠き部５は、下向きに開放された開放端を有するものを例として示してあり、この切欠き部５によって周壁４ｂの下端と口頚部１ａの上端との間に隙間部Ｐを設けることができ、この隙間部Ｐにコインの如き部材を差し入れて抉じ開けることによって吐出器２を容器本体１から容易に取り外し可能になっている。隙間部Ｐは、図３（ａ）（ｂ）に示すように、周壁４ｂの寸法を短くしてその周りの全域に設けるようにしてもよいし、切欠き部５を複数設けて間欠的に形成してもよく（少なくとも１つ設けられていればよい。）、その形状や個数について限定されることはない。
【００２７】
さらに、符号６は、押圧ヘッド３を内側に収め、該押圧ヘッド３のベースキャップ３ｃの上部に着脱自在に嵌合（アンダーカットによる嵌合等）可能なオーバーキャップ（カバー）である。このオーバーキャップ６とベースキャップ３ｃとは、ねじによって着脱自在に係合させることもできる。
【００２８】
嵌合部４の周壁４ｂと口頚部１ａとの間に隙間部Ｐを設けて吐出器２を容器本体１から取り外し易くしておくことにより容器本体１内に少量の内容物が残存している場合であっても、吐出器２を取り外して残存している内容物を全て取り出すことができ、しかも容器を廃棄処分するに際して分別回収が可能となる。
【００２９】
上記の構成からなる吐出容器においては、押圧ヘッド３を繰り返し押し込むことにより、中空ステム２ｂに連係するピストンをシリンダー２ａ内でスライド（昇降移動）させ、これにより容器内の内容物は、吸引管Ｓを通してシリンダー２ａ内に吸引されるとともに、加圧、圧縮される。この加圧、圧縮によりシリンダー２ａ内が所定の圧力に達したならば、シリンダー２ａ内の内容物は中空ステム２ｂの内部通路、ヘッド本体３ｂの内部通路を通り抜けてノズル部３ａから外界へ向けて噴出される。なお、中空ステム２ｂの内部通路の出側には、必要に応じて内容物の逆流を防止する逆止弁が適宜配置される。
【００３０】
本発明の吐出容器は、図２に示す如く押圧ヘッド３が取り外された状態であっても、吐出器２は、容器本体１に連結されていることから、容器の付替えに際して液だれを起こすことがないし、容器を誤って転倒させたとしても内容物がこぼれ出てしまうことはない。
【００３１】
また、本発明の吐出容器は、内容物を噴出させる吐出器２は、容器本体１とともに付替えられる使い切りタイプの吐出器となるので、衛生的でもある。
【００３２】
内容物が収容された新しい容器に装着すべく、押圧ヘッド３のベースキャップ３ｃを容器本体１の口頚部１ａにねじ止めすると、中空ステム２ｂの先端２ｂ１がヘッド本体３ｂの開口部３ａに若干入り込んだ仮嵌合状態にとなるが、押圧ヘッド３を数回押し込む（プライミング）ことにより中空ステム２ｂの先端２ｂ１はヘッド本体３ｂの開口部３ａの行き止まり端まで深く入り込んで嵌合する。
【００３３】
なお、押圧ヘッド３を吐出器２から取り外すには、押圧ヘッド３のベースキャップ３ｃを回動させて口頚部１ａとのねじによる連係を解除したのち、該押圧ヘッド３そのものを引っ張りあげればよい。
【００３４】
図４は、容器本体１を、その外観形状を形造る外層体７（低密度ポリエチレンや高密度ポリエチレン等の合成樹脂にて成形された保形性を有するもの）と、この外層体７の内壁面に剥離可能に密着保持され、収納空間Ｍ内の内容物の収容量が減るに従い該外層体７から随時剥離してそれ自体が縮減（減容）していく内層体８（外層体１ａを構成する合成樹脂との間に相溶性がなく、ガスバリア性に優れた合成樹脂にて成形された袋状のもの）とからなるデラミ容器で構成した、本発明の他の実施の形態を示した図である。
【００３５】
容器本体１が単層で構成され、この容器本体１に吐出器２を組み付けられた吐出容器にあっては、普通、内容物を噴出させた分だけ容器内に外気を取り込んで容器本体１の形状変形を防止する構造になっていることから、とくに、外気との接触を避けたい内容物を収容したものにあってはこの種の吐出容器を適用するのは有用であるとはいえない。しかしながら上記のような構成のデラミ容器を容器本体１として用いることにより内容物が減った分だけ、すなわち内容物を噴出させた分だけ内層体８が減縮するため内容物の外気への接触は確実に回避され、品質を安定的に保持することができる。
【００３６】
デラミ容器を容器本体１とする場合、外層体７の底部に上げ底壁部７ｄを設け、この上げ底壁部７ｄに、外層体７と内層体８との相互間に外気を導入する開孔７ｅを形成しておくのがよい。その理由は、該開孔７ｅを通して外層体７と内層体８との間に外気が導入されることになるため内層体８が縮減していっても外層体７の外観形状に影響を及ぼすことがないからである。開孔７ｅは、容器本体１の底部７ｄを形成するピンチングに際して、一部分（パーティングラインが形成される部位）を切欠いた状態にしておくことによって形成することができる。
【００３７】
開孔７ｅとしては、内層体８が減縮した時にのみ突き合わせ端面が相互に離反して外気の導入を可能とするスリットを適用することも可能であり、この点について限定されることはない。また、開孔７ｅは、外層体７の口頚部７ａに設けることもできる。
【００３８】
容器本体１をデラミ容器とすることにより、内容物が減った分だけ、内層体８が減縮するため内容物の外気への接触は確実に回避され、品質を安定的に保持することが可能となるだけでなく、内容物の残量を極力低減することができる。
【００３９】
図５は、シャットオフピンを組み入れたヘッド本体を適用して押圧ヘッドを構成した本発明に従う吐出容器のさらに他の実施の形態を示した図である。なお、容器本体１としては単層からなるものや上記のようなデラミ容器を使用することができる。
【００４０】
図５における符号９は押圧ヘッドである。押圧ヘッド９は、ヘッド本体９ａと、このヘッド本体９ａをスライド可能に支持し外層体７の口頚部７ａにねじ止めされるベースキャップ９ｂからなっている。
【００４１】
ヘッド本体９ａは、押圧部を形成する天面壁９ａ１と、この天面壁９ａ１の縁部に一体連結して下向きに開放された開口を形成する周壁９ａ２から構成されており、ヘッド本体９ａの内部には、水平隔壁９ａ３、垂直隔壁９ａ４によって区画形成された空間領域ｒと、この空間領域ｒにつながる通路を有し水平隔壁９ａ３の下面において垂下保持された環状体９ａ５が形成されている。
【００４２】
ベースキャップ９ｂは、吐出器２の中空ステム２ｂの上端部を挿通させる貫通孔を有するベース９ｂ１と、このベース９ｂ１の縁部において垂下保持され、外層体７の口頚部７ａを取り囲む筒体９ｂ２と、ベース９ｂ１の上面で貫通孔を取り囲んで起立するとともにヘッド本体９ａをスライド可能に抜け止め保持する筒体９ｂ３から構成されている。
【００４３】
なお、筒体９ｂ２は、その内壁面に設けられたねじ部を外層体７の口頚部７ａの外壁面に設けられたねじ部に係合させることによって着脱自在に固定するものを例として示したが、ベースキャップ９ｂの外層体７に対する固定は、ねじによるものには限定されることはなく、アンダーカットによる嵌合等他の係合方式を適用することができる。
【００４４】
また、１０は、空間領域ｒに送給された内容物を噴出口を通して外界へ噴出させるノズル部である。このノズル部１０は、ヘッド本体９ａの周壁９ａ２に形成された開口９ｃに嵌合する胴体部分１０ａと、この胴体部分１０ａにつながりヘッド本体９ａの周壁９ａ２から突出する先端部分１０ｂからなっている。
【００４５】
１１は、ヘッド本体９ａの空間領域ｒに配設されたシャットオフピンである。このシャットオフピン１１は、ノズル部１０の噴出口に適合する先端部分１１ａを有する棒状体からなり、スプリング１１ｂを介してスライド可能に弾性支持ており、その後端部には、垂直隔壁９ａ４に形成された貫通孔を通り抜けてその後方へ飛び出した凸部１１ｃが形成されている。
【００４６】
シャットオフピン１１は、押圧ヘッド９に押圧力が付加されていない状態では、その先端部分１１ａがノズル部１０の噴出口に常時押し当たっており該噴出口を閉塞している。一方、押圧ヘッド３を押し込んだ時には、該シャットオフピン１１が後方へスライドしてその先端部１１ａがノズル部１０の噴出口から離反して内容物を噴出させる。なお、シャットオフピン１１の少なくとも先端部分１１ａは、噴出口におけるシール性を向上させるためゴムやエラストマーの如き軟質部材にて構成されている。
【００４７】
１２は、シャットオフピン１１の後端部の外面に設けられ、シャットオフピン１１が後方へスライドする際に垂直核壁９ａ４に形成された筒体９ａ６の内面壁に沿って摺動可能なシール部材である。このシール部材１２は、空間領域ｒに送給された内容物が垂直隔壁９ａ４に形成された貫通孔からの内容物の漏れを防止している。
【００４８】
１３は、ノズル部１０の内面壁に間隔をおいて設けられ、シャットオフピン１１のスムーズなスライドを誘導するリブ状のガイド、１４は、吐出器２の中空ステム２ｂとヘッド本体９ａとを相互につなぐジョイント部材である。
【００４９】
ジョイント部材１４は、ヘッド本体９ａの内側に配置されており、周壁９ａ２の下端に形成された爪部（抜け止め部材として機能するアンダーカット等）ｃにより抜け止め保持されている。
【００５０】
ジョイント部材１４としては、具体的には、水平面を有する天面壁１４ａと、この天面壁１４ａの縁部に一体連結するとともに周壁９ａ２の内面壁に沿う外表面を有する周壁１４ｂからなり、天面壁１４ａの下面には吐出器２の中空ステム２ｂに着脱自在に嵌合する垂下筒１４ｃが設けられ、その上面にはヘッド本体９の入り側開口を形成する環状体９ａ５に摺動状態でスライド可能に連係する排出管１４ｄが設けられたものが適用される。なお、排出管１４ｄには、摺動状態でのシール性を確保するためその先端部には環状体９ａ５の内面壁に接触するシールリップが形成されている。
【００５１】
１５は、ヘッド本体９ａ内で、空間領域ｒに隣接配置された「Ｌ字」もしくは「くの字」形状をなすレバーである。このレバー１５は、アーム１５ａと、このアーム１５ａにつながる脚部１５ｂ（ジョイント部材１４の排出管１４ｄを両側に挟む２本で一組になるもの等）から構成され、その境界部に設けられた枢軸１５ｃを支点にして揺動することができるようになっている。
【００５２】
アーム１５ａの先端はシャットオフピン１１の凸部１１ｃに連係しており、脚部１５ｂの下端がジョイント部材１４の天面壁１４ａに当接している。
【００５３】
さらに、１６は、ヘッド本体９ａの内側において嵌合保持され、枢軸１５ｃを固定する固定板である。
【００５４】
上記の構成からなる押圧ヘッド９において、内容物を噴出させるべく、ヘッド本体９ａを下方に向けて押し込むと、環状体９ａ５の下端が天面壁１４ａに突き当たるまでヘッド本体９ａは、ジョイント部材１４に対し寸法ｔの範囲内で下方に向けて移動する（ジョイント部材１４が周壁９ａ２の上端に向けてスライドする）。
【００５５】
この時、レバー１４の脚部１５ｂは図６に示すようにジョイント部材１４の天面壁１４ａによって押し上げられるとともにアーム１５ａが枢軸１５ｃを支点にしてその後方へと倒れ込む。
【００５６】
アーム１５ａの倒れ込みに連動してシャットオフピン１１は後方へとスライドしていきその先端部１１ａがノズル部１０の噴出口から離反して該噴出口が開放される。
【００５７】
ヘッド本体９ａの押し込みを続行していくと吐出器２の中空ステム２ｂも押し込まれていき、吐出器２内の内容物は加圧、圧縮されるとともにジョイント部材１４の排出管１４ｂ、空間領域ｒを経てノズル部１０の噴出口から外界へ向けて噴出することになる。
【００５８】
内容物の噴出を停止すべく、ヘッド本体９ａに付加した押込み力を取り除くことにより、ヘッド本体９ａは、中空ステム２ｂとともに初期位置へ復帰するとともにジョイント部材１４も初期位置へ復帰する。すなわち、ヘッド本体９ａの周壁９ａ２の下端側へとスライドしていく。
【００５９】
ジョイント部材１４が初期位置へ戻ると、レバー１５の脚部１５ｂを押し上げる力が取り除かれるため、スプリング部材１１ｂの反発力によってアーム１５ａが引き起こされるとともにシャットオフピン１１が前方へとスライドしていきその先端部１１ａがノズル部１０の噴出口に当接して該噴出口を閉塞する。
【００６０】
シャットオフピン１１を組み付けたヘッド本体９ａを適用して押圧ヘッド９を構成した上述の如き吐出容器にあっては、内容物を噴出させるとき以外にノズル部１０の噴出口が開放されることながいため、外気や水分あるいは埃等の侵入を確実に回避することができ衛生的であり、しかも液切れがよい（液だれがない）利点がある。
【００６１】
また、かかる構成からなる吐出容器においては、上掲図１、２に示したものと同様、押圧ヘッド９が吐出器２から取り外された状態にあっても、吐出器２自体は、容器本体１に連結されているので、容器の付替えに際して液だれを起こすことがないし、内容物をこぼしてしまうこともない。
【００６２】
しかも、内容物を噴出させる吐出器２は、容器本体１とともに付替えられる使い切りタイプとなるので、衛生的でもある。
【００６３】
とくに、容器本体１としてデラミ容器を適用した場合には、内容物の残量を低減できる利点がある。
【産業上の利用可能性】
【００６４】
本発明によれば、液だれを起こしたり容器の転倒によって内容物の流出を起こすことなく、しかも、簡単な動作で新しい容器に付替えられるレフィルタイプの吐出容器を提供することができる。
【符号の説明】
【００６５】
１      容器本体
１ａ    口頚部
１ｂ    肩部
１ｃ    胴部
１ｄ    底部
２      吐出器（ポンプ）
２ａ    シリンダー
２ｂ    中空ステム
３      押圧ヘッド
３ａ    開口部
３ｂ    ヘッド本体
３ｃ    ベースキャップ
４      嵌合部
４ａ    天板
４ｂ    周壁
５      切欠き部
６      オーバーキャップ
７      外層体
７ａ    口頚部
７ｂ    肩部
７ｃ    胴部
７ｄ    上げ底壁部
７ｅ    開孔
８      内層体
９      押圧ヘッド
９ａ    ヘッド本体
９ｂ    ベースキャップ
１０    ノズル部
１０ａ  胴体部分
１０ｂ  先端部分
１１    シャットオフピン
１１ａ  先端部分
１１ｂ  スプリング
１１ｃ  凸部
１２    シール部材
１３    リブ状のガイド
１４    ジョイント部材
１４ａ  天面壁
１４ｂ  周壁
１４ｃ  垂下筒
１４ｄ  排出管
１５    レバー
１５ａ  アーム
１５ｂ  脚部
１５ｃ  枢軸
Ｍ      収納空間
ｎ      ノズル部
Ｓ      吸引管
Ｐ      隙間部
ｒ      空間領域
ｔ      通路
ｕ      通路
ｃ      爪部
ｔ      寸法
【図１】
2014080239.tif 000003
【図２】
2014080239.tif 000004
【図３】
2014080239.tif 000005
【図４】
2014080239.tif 000006
【図５】
2014080239.tif 000007
【図６】
2014080239.tif 000008